(57)【特許請求の範囲】
【請求項１】
壁板に設けた開口内に嵌合して設置される埋込式照明器具の器具取付枠体を前記開口内に固定するために、
前記器具取付枠体の外周に固着される照明器具側固定片と、前記壁板の裏面に固着される壁板側固定片とを備え、前記壁板側固定片の全体に、前記壁板側固定片を貫通する小孔をネジ孔として多数形成した留具を用意し、
前記器具取付枠体の外周に、前記留具の前記照明器具側固定片を固着し、
該器具取付枠体を、壁板に形成された照明器具取り付け用の開口内に嵌合して、前記留具の前記壁板側固定片を前記壁板の裏面に当接させると共に、
前記壁板の表面より裏面側に向かってビスを打ち込んで、該ビスで前記壁板を貫通すると共に、該ビスを前記壁板側固定片に形成された小孔のいずれかに螺合させることを特徴とする埋込型照明器具の取付方法。
【請求項２】
前記照明器具側固定片の全体に、前記照明器具側固定片を貫通する小孔をネジ孔として多数形成したことを特徴とする請求項１記載の埋込型照明器具の取付方法。
【請求項３】
壁板に設けた開口内に嵌合して設置される埋込式照明器具の器具取付枠体を前記開口内に固定するために、
前記器具取付枠体の外周に固着される照明器具側固定片と、前記壁板の裏面に固着される壁板側固定片とを備え、前記壁板側固定片の全体に、前記壁板側固定片を貫通する小孔をネジ孔として多数形成した留具を用意し、
前記壁板に形成された照明器具取り付け用の前記開口を介して、前記留具の前記壁板側固定片を、前記壁板の裏面に接触配置し、
前記壁板の表面より裏面側に向かってビスを打ち込んで該ビスで前記壁板を貫通すると共に、該ビスを前記壁体側固定片に形成された小孔のいずれかに螺合させて、前記留具を前記開口周縁に固定し、
前記開口内に、器具取付枠体を嵌合すると共に、前記器具取付枠体の側壁に内周より外周側に向かってビスを打ち込んで該ビスで前記器具取付枠体の側壁を貫通すると共に、該ビスを前記照明器具側固定片に形成された小孔のいずれかに螺合させることを特徴とする埋込型照明器具の取付方法。
【請求項４】
パンチングメタル、又はメタルラスによって前記留具の前記壁板側固定片及び照明器具側固定片を製造した請求項２又は３記載の埋込型照明器具の取付方法。
【発明の詳細な説明】
【技術分野】
【０００１】
本発明は、埋込型照明器具の取付方法に関し、例えば天井等に吊りボルトを使用することなく埋込型照明器具を取り付け可能とする前記器具の取付方法に関する。
【背景技術】
【０００２】
埋込型照明器具は、天井板や壁板等に形成された開口２１内に埋め込んで設置する照明器具であり、室内照明用に広く使用されている。
【０００３】
このような埋込型照明器具のうち、天井埋込型照明器具を例として、留具及びその取付方法を図６を参照して説明する。
【０００４】
図６に示すように、従来の天井埋込型照明器具にあっては、天井裏に設けられたスラブ（図示せず）に、予め照明器具の配置間隔にあわせて照明器具あるいは，その取付用の枠体を取り付けるための吊りボルト６０を取り付け、また、天井板２０の照明器具の取付位置に開口２１を形成し、この開口２１内に器具取付枠体３１を嵌合すると共に、前記吊りボルト６０に器具取付枠体３１を固定することにより取り付けられている。
【０００５】
この器具取付枠体３１は、下向きに開口する箱状ないしはカップ状を成すと共に、下端開口縁に外周方向に突出するフランジ部３２を備え、この器具取付枠体３１の天板３３に設けられたボルト孔３４内に前記吊りボルト６０の下端を挿入すると共に、この吊りボルト６０に螺合したナット６１を、器具取付枠体３１のフランジ部３２が天井板２０と接触する迄締め付けることによって、天井板２０に形成された開口２１内に固定されている。
【０００６】
そして、このように形成された器具取付枠体内３１に、電球や蛍光灯、その他、照明器具として必要な機器（図示せず）を取り付けることにより、照明器具の取り付けが完了する。
【０００７】
このように、従来の天井埋込型照明器具にあっては、器具取付枠体３１を吊りボルト６０によって天井裏のスラブ等に吊り下げていたために、照明器具を設置するためには、このような吊りボルト６０の存在が不可欠であった。
【０００８】
そのため、照明器具の取付位置の変更、増加に際しては、吊りボルト６０の移動、増設が必要となる等、作業上の労力が増大するだけでなく、建築物の施工過程において前述の吊りボルト６０の取り付けは建物の建築・施工業者が行い、照明器具の取り付けは配線工事業者が行っているため、人的な調整作業に費やす労力も増大する。
【０００９】
また、前述のような吊りボルト６０の存在は、室内を改装等する際に照明器具の配置、種類の変更等に際しても制約となり、照明器具の配置、種類の選択の自由度を低下させるものとなっている。
【００１０】
このように、取り付けに吊りボルト６０を必要としていた従来の天井埋込型の照明器具に対し、吊りボルト６０なしに取り付け可能な構成を備えた天井埋込型の照明器具も提案されている。
【００１１】
このような天井埋込型照明器具の一例として、器具取付枠体３１の上面に回転可能に取り付けられた取付金具７０を設け、開口２１内に器具取付枠体３１を嵌合した後にこの取付金具７０を回転させることにより、器具取付枠体３１の幅方向にこの取付金具７０が突出し、天井裏に設置されているＣチャンネル、Ｍバー、開口周縁（図示の例ではＭバー４１）上に取付金具７０の両端を載置することで、器具取付枠体３１を取り付け可能としたものがある（特許文献１；図７参照）。
【００１２】
この発明の先行技術文献情報としては次のものがある。
【特許文献１】特開２００１−１４９３４号公報
【発明の開示】
【発明が解決しようとする課題】
【００１３】
上記特許文献１に記載の照明器具にあっては、前述の取付金具７０を設けたことにより、吊りボルト６０を設けることなく照明器具を天井板２０に形成した開口２１内に固定することが可能となる。
【００１４】
しかし、器具取付枠体３１を前述の開口２１内に嵌合すると、この器具取付枠体３１によって天井板２０の裏側は作業者の視界から遮られるために、作業後に取付金具７０が正確にＣチャンネルやＭバー等の上に載置されているか否かを確認することができない。
【００１５】
そのため、特許文献１に記載の発明にあっては、天井裏の状態を目視により確認することなしに取付金具７０が正確に所望の位置に回動するように、前記取付金具７０の回転位置を規制する構成を備えており、そのために部品点数の増加と、構成の複雑化をもたらしている。
【００１６】
また、前記構成の照明器具にあっては、天井板２０に形成された開口２１内に照明器具を固定するためには、器具取付枠体３１に天板３３を設け、この天板３３に前記取付金具７０を取り付けると共に、器具取付枠体３１の下端開口部周縁に外周方向へ突出するフランジ部３２を設け、前述の取付金具７０とフランジ部３２とで、天井板（取付金具がＣチャンネルやＭバー上に載置される場合には、天井板と共にＣチャンネル又はＭバー）を挟持する必要があり、器具取付枠体３１に天板３３やフランジ部３２を設けることが必須となる。
【００１７】
そのため、室内側より見たときに、照明器具の設置位置の天井にフランジ部３２の形状が模様として浮かび上がることとなるため、室内空間のデザイン上、このような模様の表出が好ましくない場合には、フランジ部を天井板の色彩と同色で塗装して目立たなくする作業が必要となる。
【００１８】
また、このように器具取付枠体３１に天板３３やフランジ部３２を設けることが必要であることは、照明器具にデザイン上の制約を与えることとなる。
【００１９】
なお、器具取付枠体３１を天井板２０に留具等を介して直接ビス止め等により固定することができれば、予め吊りボルト６０を設置することなく、また、器具取付枠体３１に前述の天板３３やフランジ部３２を設けることなく、且つ複雑な取付機構なしに器具取付枠体３１を天井板２０に形成された開口２１内に固定することができる。
【００２０】
しかし、器具取付枠体３１を天井板２０に固定する留具を室内側で天井板に固定すれば、取り付け後の美観が著しく損なわれる一方、このような留具を、天井裏側に配置すれば、作業者はビス等の打ち込み先となる留具を目視により確認することも、手や指で触れることもできないために、留具にビス等を確実に打ち込むことができない。
【００２１】
そこで、本発明は、上記従来技術における欠点を解消するためになされたもので、天井板や壁板等の裏面側に配置した場合であっても、この天井板や壁板等の表面側から打ち込まれたビスを確実に係止することのできる留具を提供することにより、吊りボルト等を設けることなく、天井板、その他の壁板に埋込型の器具取付枠体を直接固定可能とすることを目的とする。
【００２２】
なお、本発明において特に区別して説明する場合を除き、「天井板」は「壁板」に包含する。
【課題を解決するための手段】
【００２３】
上記目的を達成するために、本発明の埋込式照明器具の取付方法は、天井板を含む壁板２０に設けた開口２１内に嵌合して設置される埋込式照明器具３０の器具取付枠体３１を前記開口２１内に固定するために、
前記器具取付枠体３１の外周に固着される照明器具側固定片１２と、前記壁板２０の裏面に固着される壁板側固定片１１とを備え、前記壁板側固定片１１の全体に、前記壁板側固定片１１を貫通する小孔１４をネジ孔として多数形成した留具１０を用意し、
前記器具取付枠体３１の外周に、前記留具１０の前記照明器具側固定片１２を固着し、
該器具取付枠体３１を、前記壁板２０に形成された照明器具取り付け用の前記開口２１内に嵌合して、前記留具１０の前記壁板側固定片１１を前記壁板の裏面に当接させると共に、
前記壁板２０の表面より裏面側に向かってビス５０を打ち込んで、該ビス５０で前記壁板２０を貫通すると共に、該ビス５０を前記壁体側固定片１１に形成された小孔１４のいずれかに螺合させることを特徴とする（請求項１；図４参照）。
【００２４】
前記留具１０は、前記照明器具側固定片１２の全体にも、前記照明器具側固定片１２を貫通する小孔１４をネジ孔として多数形成することが好ましい（請求項２）。
【００２５】
この留具１０の前記壁板側固定片１１及び照明器具側固定片１２は、一例としてパンチングメタル、又はメタルラスによって製造することができる（請求項４）。
【００２７】
また、本発明の別の埋込型照明器具の取付方法は、器具取付枠体３１の外周に固着される照明器具側固定片１２と、前記壁板２０の裏面に固着される壁板側固定片１１とを備え、前記壁板側固定片１１及び前記照明器具側固定片１２を前述のパンチングメタルで形成する等してその全体に、前記壁板側固定片１１及び前記照明器具側固定片１２を貫通する小孔１４をネジ孔として多数形成した留具１０を用意し、
前記壁板２０に形成された照明器具取付用の開口２１を介して、前記留具１０の前記壁板側固定片１１を、前記壁板１０の裏面に接触配置し、
前記壁板２０の表面より裏面側に向かってビス５０を打ち込んで該ビス５０で前記壁板２０を貫通すると共に、該ビス５０を前記壁体側固定片１１に形成された小孔１４のいずれかに螺合させて、前記留具１０を前記開口２１周縁に固定し、
前記開口２１内に、器具取付枠体３１を嵌合すると共に、前記器具取付枠体３１の側壁に内周より外周側に向かってビス５０を打ち込んで該ビスで前記器具取付枠体３１の側壁を貫通すると共に、該ビス５０を前記照明器具側固定片１２に形成された小孔１４のいずれかに螺合させることを特徴とする（請求項３；図５参照）。
【発明の効果】
【００２８】
以上説明した構成から、本発明の留具１０にあっては、壁板側固定片１１に多数の小孔１４を設けたことにより、壁板２０の表面側の適当な位置からビス５０を打ち込むだけで留具１０に形成された小孔１４のいずれかにビス５０を容易に、かつ強固に螺合させることができた。
【００２９】
その結果、壁板２０に留具を介して器具取付枠体３１を固定するという、従来不可能であった取付方法が可能となった。
【００３０】
また、従来行えなかった前記取り付けが可能となったことにより、器具取付枠体３１に天板３３やフランジ部３２を設ける必要がなくなり、照明器具のデザインの自由度を増すことができた。
【００３１】
留具１０の壁板側固定片１１と共に、照明器具側固定片１２に多数の小孔を設けた構成にあっては、器具取付枠体３１の側壁内周の適当な位置よりビス５０を打ち込むことにより、留具１０に形成された小孔１４のいずれかにビス５０を螺合させることができ、その結果、留具１０の固定順序を、壁板側において先に行うか、又は照明器具側において先に行うかのいずれか任意に選択することが可能となった。
【００３２】
その結果、例えば器具取付枠体３１の下端開口に外周方向に突出するフランジ部３２が設けられた既存の器具取付枠体３１であっても、本発明の留具１０を介して壁板２０に固定することが可能である。
【００３３】
なお、前述の留具１０は、これをパンチングメタルやメタルラスを加工等して製作することにより、前記小孔１４を備えた壁板側固定片１１及び照明器具側固定片１２を容易に形成することができ、埋込型照明器具３０の例えば取付作業現場で、取り付ける照明器具に対応した形状、サイズの留具１０を容易に得ることができる。
【発明を実施するための最良の形態】
【００３４】
次に、本発明の実施形態を添付図面を参照しながら以下に説明する。
【００３５】
〔留具〕
本発明の留具１０は、壁板２０に形成された開口２１内に取り付けられる埋込型照明器具の器具取付枠体３１と、壁板２０の裏面間を連結して、器具取付枠体３１を壁板２０の裏面に固定可能としたものであり、前述の壁板２０の裏面に固着される壁板側固定片１１と、器具取付枠体３１の外面に固着される照明器具側固定片１２とを備えている。
【００３６】
図１に示す実施形態にあっては、壁板側固定片１１と照明器具側固定片１２とが略９０度に交わるＬ字状に形成しているが、本発明の留具１０は、壁板側固定片１１、照明器具側固定片１２を備えるものであれば、前述したようなＬ字状に限定されず、例えば図２に示すように壁板２０に形成された開口２１に近接してＣチャンネルやＭバー等が設けられている場合等（図示の例ではＭバー４１）には、壁板側固定片１１と照明器具側固定片１２との間に、ＣチャンネルやＭバーを迂回するための中間部分１３を設ける等、照明器具の設置状況に合わせてその形状等を適宜変更可能である。
【００３７】
また、照明器具側固定片１２は、平坦な形状である必要はなく、固定する器具取付枠体３１の外形形状に対応して、湾曲等させたものであっても良く、また、台形状、裁頭円錐状の器具取付枠体の側壁に照明器具側固定片１２を固着する場合には、壁板側固定片１１と照明器具側固定片１２の交差角は９０度である必要はなく、器具取付枠体３１の側壁の傾斜角に従って前述の角度は適宜変更可能である。
【００３８】
以上のように構成された留具１０には、後述するようにビス５０を打ち込んだ際に、このビス５０を螺合する小孔１４が多数形成されている。
【００３９】
この小孔１４の形成は、留具１０の全体に行うことが好ましいが、「取付方法１」として後述するように、本発明の留具１０を、予め器具取付枠体３１に固着しておき、このように留具１０が取り付けられた器具取付枠体３１を壁板２０の開口２１に固定する場合には、器具取付枠体３１と留具１０との固着は、必ずしもビス５０止めとする必要はなく、溶着、ボルト止め、リベット止め、その他の既知の各種の方法で行うことができるため、この場合には必ずしも照明器具側固定片１２に前述した小孔１４を設ける必要はない。
【００４０】
図１に示す実施形態にあっては、本発明の留具１０を、矩形状のパンチングメタルを中央で折り曲げてＬ字状に形成したものであり、二枚の片１１，１２のいずれにも小孔１４が設けられている。従って、図１に示す留具１０にあっては、図中に示した符号に拘わらず、いずれの片を壁板側固定片１１、又は照明器具側固定片１２として使用しても良い。
【００４１】
また、本発明の留具１０は、パンチングメタルに限定されず、メタルラス、その他、ネジ孔となり得る小孔が多数形成された多孔金属板を使用することができ、固定する埋込式照明器具３０の荷重に耐え得る強度を有するものであれば、各種材質のものが使用可能である。
【００４２】
留具１０に設けられた前述の小孔１４は、後述するようにビス５０止めの際に、ビス５０と螺合するネジ孔として機能するもので、そのサイズは、使用するビス５０の径との関係によって各種サイズに設定可能であるが、いずれのサイズのビス５０を使用する場合にも、ビス５０の径よりも小径に形成する。
【００４３】
なお、固定に使用するビス５０の種類や形状は特に限定されないが、前述のようにビス５０の径に対して小径に形成された留具１０の小孔１４に対して円滑に螺合し、かつ、この小孔１４を変形、拡大しながら締め付けを行うことができるように、好ましくはテーパーネジを備えたものを使用することが好ましい。
【００４４】
〔埋込型照明器具〕
前述の留具１０によって取り付けを行う埋込型照明器具３０の種類は特に限定されず、吊りボルト６０を使用して取り付けていた従来の埋込型照明器具３０に対しても本発明の留具１０を使用して、吊りボルト６０によらない取り付けを行うことも可能である。
【００４５】
従って、このような吊りボルト６０による取付のために必要であった、フランジ部３２を備えた器具取付枠体３１、このようなフランジ部３２を持たない器具取付枠体３１のいずれにも適用可能である。
【００４６】
また、器具取付枠体３１の形状についても特に限定されず、器具取付枠体３１の形状が矩形状（箱型）の場合に限定されず、円筒状、裁頭円錐状、半球状等の如何なる形状のものであって適用可能であり、適用対象となる埋込型照明器具３０は、特に限定されない。
【００４７】
〔埋込型照明器具の取付方法〕
次に、本発明の留具１０による埋込型照明器具３０の取付方法について説明すれば、以下の通りである。
【００４８】
なお、埋込型照明器具３０の種類によっては若干取付手順が異なることから、以下では場合分けして説明する。
【００４９】
また、以下に示す例では、天井に対する照明器具の取付例として説明するが、例えば垂直方向の壁面等に対しても同様の方法で取り付けることが可能である。
【００５０】
（１）取付方法１
ここで説明する取付方法は、天井板２０に形成した開口２１を介して、一旦、器具取付枠体３１を天井裏に持ち上げ、その後、器具取付枠体３１の下端３１ａ部分を前記開口２１内に嵌合して取り付ける方法であり、器具取付枠体３１の高さが幅以下である箱型であると共に、下端縁にフランジ部３２を備えていない場合に適用可能である。
【００５１】
このような器具取付枠体３１に対しては、予め器具取付枠体３１の外周面に、照明器具側固定片１２を固着して留具１０を取り付けておく。
【００５２】
留具１０の取り付けは、如何なる方法によって行っても良く、前述したように、溶着、ボルト止め、リベット止め等、既知の各種の方法によって取り付けることができる。
【００５３】
本実施形態にあっては、照明器具側固定片１２にも前述した小孔１４を設けた留具１０を使用して、留具側、又は照明器具側のいずれかの側からビスを打ち込むことにより、留具１０の照明器具側固定片１２を器具取付枠体に固着している。
【００５４】
器具取付枠体に対する前記留具１０の取付位置は、器具取付枠体３１を天井板２０に形成した開口２１内に取付状態で配置した際に、留具１０の壁板側固定片１１が天井板２０の裏面に載置されるように取り付ける。このようにして留具１０の取り付けが完了した器具取付枠体３１は、図３に示すようにその側面より留具の壁板側固定片１１が突出した状態となる。
【００５５】
なお、図３に示す実施形態にあっては、前記留具１０を器具取付枠体３１の長さ方向の側面に取り付けた例を示したが、留具１０の取り付けは、器具取付枠体３１の幅方向の側面に対して行っても良く、又は長さ方向、幅方向の双方に対して行っても良い。
【００５６】
このようにして留具１０の取り付けが完了した器具取付枠体３１は、これを例えば図４（Ａ）に示すように天井板２０に形成した開口２１を介して、一旦天井裏に持ち上げる。
【００５７】
そして、天井裏にて器具取付枠体３１の向きを整え、その下端３１ａを天井板２０に形成された開口２１内に挿入し、各留具１０の壁板側固定片１１が天井板２０の裏面と接触するまで、器具取付枠体３１を引き下げる〔図４（Ｂ）参照〕。
【００５８】
このようにして、留具１０の壁板側固定片１１が天井板２０上に載置された状態において、この壁板側固定片１１の接触位置に対応する天井板２０の部分に、室内側からビス５０を打ち込むと、ビス５０の先端はやがて天井板２０を貫通して、この天井板２０上に載置された留具１０の壁板側固定片１１に到達する。
【００５９】
このとき、ビス５０の先端は前記壁板側固定片１１に多数形成された小孔１４のいずれかに入り込み、ビス５０は小孔１４を変形、拡大しながらこの小孔１４内に螺合し、天井板２０に留具１０を固定し、このようなビス打ちを適当回数繰り返すことにより取り付けが完了する。
【００６０】
その後、この器具取付枠体３１内に、電球や蛍光灯等の光源や附属機器等を備えたユニット等を取り付けることにより、埋込型照明器具３０の取り付けが完了する。
【００６１】
既知の一般的なアングル材等の留具を使用する場合には、器具取付枠体３１を嵌合することにより天井板２０に形成した開口２１を塞いだ後は、天井板２０の裏側に配置された留具１０はこれを目視により確認することも、手で触れることもできないために、留具１０にビス５０を確実に打ち込むことは不可能であった。
【００６２】
しかし、本願発明の留具１０にあっては、前述したようにこの留具１０として、壁板側固定片１１に多数の小孔１４を形成したものを使用したことにより、作業者の視界から遮られ、かつ、手や指で触れることのできない場所にある留具１０に対してもビス５０を確実に打ち込むことが可能となった。
【００６３】
しかも、留具１０の小孔１４内に螺合したビスは、小孔内に螺合してこれを変形、拡大する際に、図４（Ｂ）における拡大図に示すようにビスの進行方向側に小孔１４の周縁を膨出変形させることから、一旦螺合したビス５０は、これを抜き取る方向に力が加わったとしても、この膨出部分が元の平坦形状に戻ろうとする際に小孔の径を狭めるように作用するために、抜け落ち難いものとなっている。
【００６４】
さらに、ビス５０の締め付け時に過剰なトルクをかける等して、ねじ孔が拡がってしまった場合には、既知の一般的な留具では留具全体を交換する必要があったが、本発明の留具１０では、ビス５０の打ち込み位置を適宜移動させることによって、新たな小孔１４に対してビス５０を螺合することで、留具１０の交換等を行うことなく器具取付枠体３１の固定を行うことができる。
【００６５】
（２）取付方法２
以上で説明した取付方法にあっては、予め本発明の留具１０を器具取付枠体３１に取り付けておき、このように留具１０が取り付けられた後の器具取付枠体３１を天井板２０に形成した開口２１内に取り付ける場合を例として説明したが、例えば器具取付枠体３１が円筒状や裁頭円錐状である場合、又は、器具取付枠体３１が、下端にフランジ部３２を備える場合には、留具１０を予め器具取付枠体３１に取り付けてしまうと天井板２０に形成した開口２１内に嵌合できなくなる。
【００６６】
従って、このような器具取付枠体３１を取付の対象とする場合には、壁板側固定片１１及び照明器具側固定片１２の双方共に小孔が形成された留具１０を使用し、このような留具１０を開口２１の位置において予め天井板２０上に固定した後〔図５（Ａ）〕、天井板２０の開口２１内に器具取付枠体３１を嵌合し、この器具取付枠体３１の側壁に予め形成しておいたビス孔等を介して、留具１０の照明器具側固定片１２に向かってビス５０を打ち込み、器具取付枠体３１と留具１０とを固定しても良い〔図５（Ｂ）参照〕。
【００６７】
このように、器具取付枠体３１の内周側よりビス５０を打ち込んだ場合であっても、打ち込まれたビス５０の先端が留具１０に形成された小孔１４のいずれかに挿入されて、小孔１４を変形、拡大しながら螺合するので、ビス５０を確実に留具１０に螺合することができ、極めて能率的に作業を行うことができる。
【産業上の利用可能性】
【００６８】
以上説明した本発明の留具は、前述したように天井埋込型照明器具の場合のように、水平方向に配置された壁体に対する照明器具の固定に限らず、その他の方法、例えば、垂直の壁面に形成された開口内に照明器具を埋込配置する場合についても同様に使用でき、ビス等の先端側が作業者の視界から遮られた状態で行う取付作業に好適に使用することができる。
【図面の簡単な説明】
【００６９】
【図１】本発明の取付方法に使用する留具の斜視図。
【図２】本発明の取付方法に使用する別の留具の使用状態を示す概略断面図。
【図３】本発明の取付方法に使用する器具取付枠体の底面図。
【図４】本発明の方法による器具取付枠体の取付方法の説明図であり、（Ａ）は天井裏に対して持ち上げている状態、（Ｂ）は、開口内に嵌合した状態である。
【図５】本発明の方法による器具取付枠体の別の取付方法の説明図であり、（Ａ）は天井板に対する留具の取り付け、（Ｂ）は器具取付枠体を留具に取り付けている状態を示す。
【図６】従来の埋込型器具取付枠体の取付状態を示す概略断面図。
【図７】従来の埋込型器具取付枠体の取付状態を示す概略断面図。
【符号の説明】
【００７０】
１０  留具
１１  壁板側固定片
１２  照明器具側固定片
１３  中間部分
１４  小孔
２０  壁板（天井板）
２１  開口
３１  器具取付枠体
３２  フランジ部
３３  天板（器具取付枠体の）
３４  ボルト孔
４１  Ｍバー
５０  ビス
６０  吊りボルト
６１  ナット
７０  取付金具
【図１】
0004621144.tif 000002
【図２】
0004621144.tif 000003
【図３】
0004621144.tif 000004
【図４】
0004621144.tif 000005
【図５】
0004621144.tif 000006
【図６】
0004621144.tif 000007
【図７】
0004621144.tif 000008